(57)【要約】【課題】  全体として平坦形状をなす乗り物の構成部品を乗り物本体に固着させる固着作業をするとき、この固着作業が容易にできるようにし、また、上記構成部品の乗り物本体からの離脱作業も容易にできるようにする。【解決手段】  乗り物１が、乗り物本体２と、全体として平坦形状をなす構成部品１６と、上記乗り物本体２に対する上記構成部品１６のある一方向Ａへの移動によりこの構成部品１６を上記乗り物本体２に対し固着可能とさせるロック手段２４とを備える。上記一方向Ａを上記構成部品１６の平坦な外面に沿った方向とする。【選択図】    図１
2005186895.tif 000002
【特許請求の範囲】
【請求項１】
乗り物本体と、全体として平坦形状をなす構成部品と、上記乗り物本体に対する上記構成部品のある一方向への移動によりこの構成部品を上記乗り物本体に対し固着可能とさせるロック手段とを備えた乗り物において、
上記一方向を上記構成部品の平坦な外面に沿った方向としたことを特徴とする乗り物における構成部品の着脱装置。
【請求項２】
上記一方向が下方に向かう方向であることを特徴とする請求項１に記載の乗り物における構成部品の着脱装置。
【請求項３】
上記ロック手段が、上記構成部品を乗り物本体に固着可能とさせるロック機構部と、このロック機構部に連結される操作部とを備え、この操作部への操作により、上記ロック手段による固着が解除されるようにし、上記構成部品の外縁部の近傍に上記操作部を配置したことを特徴とする請求項１、もしくは２に記載の乗り物における構成部品の着脱装置。
【請求項４】
上記構成部品の正面視で、上記操作部近傍における上記構成部品の外縁部の外端縁が上記構成部品の外側方から上記操作部を囲むよう、上記外縁部の外端縁を屈曲させたことを特徴とする請求項３に記載の乗り物における構成部品の着脱装置。
【請求項５】
上記操作部を操作したとき、この操作部が上記構成部品の外縁部に接近移動するようにしたことを特徴とする請求項３、もしくは４に記載の乗り物における構成部品の着脱装置。
【請求項６】
上記一方向に向かって上記構成部品が移動するようこの構成部品を案内する案内手段を備えたことを特徴とする請求項１から５のうちいずれか１つに記載の乗り物における構成部品の着脱装置。
【請求項７】
上記案内手段が、上記乗り物本体に形成される被摺動部と、上記構成部品に形成され上記被摺動部に対し摺動可能な摺動部とを備え、上記被摺動部に対する摺動部の摺動により上記構成部品が上記一方向に向かって移動するようにしたことを特徴とする請求項６に記載の乗り物における構成部品の着脱装置。
【請求項８】
上記ロック手段のほぼ全体をその前方から上記構成部品で覆うようにしたことを特徴とする請求項１から７のうちいずれか１つに記載の乗り物における構成部品の着脱装置。
【請求項９】
上記乗り物を鞍乗型車両とし、上記乗り物本体をこの車両の車体とし、上記構成部品をウィンドシールドとし、上記車体が有するフロントフォークをその前方から上記ウィンドシールドで覆うと共に、このウィンドシールドを上記フロントフォークに上記ロック手段により固着させ、上記一方向を上記フロントフォークの長手方向に沿った方向としたことを特徴とする請求項１から８のうちいずれか１つに記載の乗り物における構成部品の着脱装置。
【発明の詳細な説明】
【技術分野】
【０００１】
本発明は、自動二輪車などの乗り物において、車体などの乗り物本体に対し、ウィンドシールドなど全体として平坦形状をなす乗り物の構成部品を着脱可能とさせる構成部品の着脱装置に関するものである。
【背景技術】
【０００２】
上記乗り物における構成部品の着脱装置には、従来、下記特許文献１に示されたものがある。この公報のものによれば、上記乗り物は自動二輪車であり、この自動二輪車は、乗り物本体である自動二輪車の車体と、全体として平坦形状をなす構成部品であるウィンドシールドと、このウィンドシールドを上記車体に着脱可能に固着させるロック手段とを備えている。
【０００３】
上記ロック手段は、上記ウィンドシールドの下端部を車体側に係脱可能に係止させ、この係止部を中心として上記ウィンドシールドを前後に回動可能とさせる係止具と、上記係止具を中心として、上記ウィンドシールドを後方回動させたとき、このウィンドシールドの上下方向の中途部を車体に着脱可能に固着させるロック具とを備えている。
【０００４】
上記ロック手段により、車体に対しウィンドシールドを固着させるための固着作業をするときには、まず、上記係止具により上記ウィンドシールドの下端部を車体に係止させる。次に、上記係止具を中心として上記ウィンドシールドを後方回動させる。すると、このウィンドシールドの回動に連動して上記ロック具により上記ウィンドシールドの中途部が車体に固着され、これにより、このウィンドシールドが車体に固着され、上記固着作業が終わる。
【０００５】
【特許文献１】Ｕ．Ｓ．特許第５６５８０３５号公報
【発明の開示】
【発明が解決しようとする課題】
【０００６】
ところで、上記した従来の技術では、次のような問題点がある。
【０００７】
第１に、車体へのウィンドシールドの固着作業時には、上記したように、まず、係止具によりウィンドシールドの下端部を車体に係止させた後、この係止部を中心として上記ウィンドシールドを後方回動させるが、この回動の方向は、このウィンドシールドの平坦な外面にほぼ直交する方向、つまり、ウィンドシールドの厚さ方向であるため、この方向に回動する上記ウィンドシールドの回動軌跡は占有空間が大きくなる。よって、車体へのウィンドシールドの固着作業時には、その作業空間を大きく採ることが求められる。
【０００８】
しかし、自動二輪車など乗り物では、一般に、その各構成部品はコンパクトに配置されていて限られた狭い余剰空間しか存在しないため、上記作業空間を大きく採ることは容易でなく、よって、上記固着作業では上記各構成部品が邪魔になって、この固着作業が煩雑になるおそれがある。
【０００９】
しかも、上記した固着作業では、その当初に、まず、係止具によりウィンドシールドの下端部を車体に係止させることが必要であるが、上記ウィンドシールドは形状が大きく重量もあるため、上記ウィンドシールドを持ち上げてその下端部を係止させようとするとき、この下端部の係止具への位置決めが容易でなく、よって、上記固着作業は更に煩雑になるおそれがある。
【００１０】
第２に、上記従来の技術では、ロック手段の係止具は、上記ウィンドシールドの下方に配置されていて、自動二輪車の正面視で、容易に見ることができるが、これは、上記自動二輪車の外観上の見栄えを低下させる原因となるものであって好ましくない。
【課題を解決するための手段】
【００１１】
本発明は、上記のような事情に注目してなされたもので、本発明の目的は、全体として平坦形状をなす乗り物の構成部品を乗り物本体に固着させる固着作業をするとき、この固着作業が容易にできるようにし、また、上記構成部品の乗り物本体からの離脱作業も容易にできるようにすることである。
【００１２】
また、本発明の他の目的は、上記乗り物の外観上の見栄えを向上させることである。
【００１３】
請求項１の発明は、乗り物本体２と、全体として平坦形状をなす構成部品１６と、上記乗り物本体２に対する上記構成部品１６のある一方向Ａへの移動によりこの構成部品１６を上記乗り物本体２に対し固着可能とさせるロック手段２４とを備えた乗り物において、
上記一方向Ａを上記構成部品１６の平坦な外面に沿った方向としたものである。
【００１４】
請求項２の発明は、請求項１の発明に加えて、上記一方向Ａが下方に向かう方向であるとしたものである。
【００１５】
請求項３の発明は、請求項１、もしくは２の発明に加えて、上記ロック手段２４が、上記構成部品１６を乗り物本体２に固着可能とさせるロック機構部２５と、このロック機構部２５に連結される操作部２６とを備え、この操作部２６への操作により、上記ロック手段２４による固着が解除されるようにし、上記構成部品１６の外縁部４５の近傍に上記操作部２６を配置したものである。
【００１６】
請求項４の発明は、請求項３の発明に加えて、上記構成部品１６の正面視で、上記操作部２６近傍における上記構成部品１６の外縁部４５の外端縁が上記構成部品１６の外側方から上記操作部２６を囲むよう、上記外縁部４５の外端縁を屈曲させたものである。
【００１７】
請求項５の発明は、請求項３、もしくは４の発明に加えて、上記操作部２６を操作したとき、この操作部２６が上記構成部品１６の外縁部４５に接近移動Ｃするようにしたものである。
【００１８】
請求項６の発明は、請求項１から５のうちいずれか１つの発明に加えて、上記一方向Ａに向かって上記構成部品１６が移動するようこの構成部品１６を案内する案内手段４７を備えたものである。
【００１９】
請求項７の発明は、請求項６の発明に加えて、上記案内手段４７が、上記乗り物本体２に形成される被摺動部４８と、上記構成部品１６に形成され上記被摺動部４８に対し摺動可能な摺動部４９とを備え、上記被摺動部４８に対する摺動部４９の摺動により上記構成部品１６が上記一方向Ａに向かって移動するようにしたものである。
【００２０】
請求項８の発明は、請求項１から７のうちいずれか１つの発明に加えて、上記ロック手段２４のほぼ全体をその前方から上記構成部品１６で覆うようにしたものである。
【００２１】
請求項９の発明は、請求項１から８のうちいずれか１つの発明に加えて、上記乗り物１を鞍乗型車両とし、上記乗り物本体２をこの車両の車体とし、上記構成部品１６をウィンドシールド１８とし、上記車体が有するフロントフォーク６をその前方から上記ウィンドシールド１８で覆うと共に、このウィンドシールド１８を上記フロントフォーク６に上記ロック手段２４により固着させ、上記一方向Ａを上記フロントフォーク６の長手方向に沿った方向としたものである。
【００２２】
なお、この項において、上記各用語に付記した符号は、本発明の技術的範囲を後述の「実施例」の項の内容に限定解釈するものではない。
【発明の効果】
【００２３】
本発明による効果は、次の如くである。
【００２４】
請求項１の発明は、乗り物本体と、全体として平坦形状をなす構成部品と、上記乗り物本体に対する上記構成部品のある一方向への移動によりこの構成部品を上記乗り物本体に対し固着可能とさせるロック手段とを備えた乗り物において、
上記一方向を上記構成部品の平坦な外面に沿った方向としてある。
【００２５】
このため、上記乗り物本体への構成部品の固着作業時には、上記構成部品を上記一方向に向かって移動させるが、この一方向は上記したように、構成部品の平坦な外面に沿った方向であることから、この構成部品の移動軌跡の占有空間は小さくて足りる。よって、乗り物では、一般に、その各構成部品はコンパクトに配置されていて限られた狭い余剰空間しか存在しないが、上記占有空間が小さくて足りる分、上記固着作業時の作業空間も狭くて足り、このため、上記固着作業時に他の構成部品が邪魔になるということが防止されて、上記構成部品の固着作業が容易にできる。
【００２６】
請求項２の発明は、上記一方向が下方に向かう方向としてある。
【００２７】
このため、上記構成部品の固着作業時におけるこの構成部品の移動方向は、この構成部品の自重が向かう方向とほぼ一致する。よって、上記一方向が上方に向かう方向であることに比べて、上記構成部品の固着作業はより容易となる。
【００２８】
請求項３の発明は、上記ロック手段が、上記構成部品を乗り物本体に固着可能とさせるロック機構部と、このロック機構部に連結される操作部とを備え、この操作部への操作により、上記ロック手段による固着が解除されるようにし、上記構成部品の外縁部の近傍に上記操作部を配置してある。
【００２９】
このため、上記構成部品からその外方に操作部が大きく突出するということが防止されて、これら構成部品と操作部とは互いにコンパクトに配置され、よって、乗り物が大型になることが防止される。
【００３０】
また、上記ロック手段により乗り物本体に固着された構成部品を上記乗り物本体から離脱させる離脱作業をするときには、例えば、上記構成部品の外縁部を手で把持して、この手の指で上記ロック手段の操作部に対する操作をする。すると、このロック手段による乗り物本体への構成部品の固着を解除させることができる。よって、上記構成部品の離脱作業において、上記構成部品を把持する作業と、ロック手段の操作部を操作する作業とを個別にすることに比べ、上記離脱作業は容易にできる。
【００３１】
請求項４の発明は、上記構成部品の正面視で、上記操作部近傍における上記構成部品の外縁部の外端縁が上記構成部品の外側方から上記操作部を囲むよう、上記外縁部の外端縁を屈曲させてある。
【００３２】
このため、上記操作部近傍の構成部品の外縁部は上記屈曲により、その外側方に向かう凸形状となる。よって、上記ロック手段により乗り物本体に固着された構成部品を上記ロック手段への操作により乗り物本体から離脱させようとして、上記操作部近傍の構成部品の外縁部を手で把持するとき、この外縁部の凸形状の部分の少なくとも一部が手のひらの内側に入り込んで、この把持による上記構成部品の支持がより確実にでき、このため、上記乗り物本体からの構成部品の離脱作業がより容易にできる。
【００３３】
請求項５の発明は、上記操作部を操作したとき、この操作部が上記構成部品の外縁部に接近移動するようにしてある。
【００３４】
このため、上記乗り物本体からの構成部品の離脱作業時に、この構成部品の外縁部を手で把持して、この手の指で上記ロック手段の操作部に対する操作をするとき、この操作部が外縁部に接近移動するよう操作すればよく、この操作は、指の動きからみて、上記操作部の外縁部への接近移動とは逆に離反移動させるということに比べて容易であり、よって、その分、上記構成部品の離脱作業が容易にできる。
【００３５】
請求項６の発明は、上記一方向に向かって上記構成部品が移動するようこの構成部品を案内する案内手段を備えている。
【００３６】
このため、上記構成部品の固着作業時に、この構成部品を一方向Ａに移動させて上記ロック手段により乗り物本体に固着させることは、この構成部品を案内する上記案内手段の働きにより容易にできる。よって、その分、上記構成部品の固着作業が更に容易となる。
【００３７】
請求項７の発明は、上記案内手段が、上記乗り物本体に形成される被摺動部と、上記構成部品に形成され上記被摺動部に対し摺動可能な摺動部とを備え、上記被摺動部に対する摺動部の摺動により上記構成部品が上記一方向に向かって移動するようにしてある。
【００３８】
このため、上記構成部品の固着作業時に、この構成部品を一方向に向かって移動させるとき、まず、この構成部品の摺動部を乗り物本体の被摺動部に接合させれば、この固着作業の当初における上記乗り物本体への構成部品の位置決めが極めて容易にできる。そして、次に、上記被摺動部に対し摺動部を摺動させれば、上記構成部品は一方向に向かって移動してロック手段により乗り物本体に固着される。よって、上記構成部品の固着作業は、まず、上記被摺動部に摺動部を接合させて乗り物本体への構成部品の位置決めをし、次に、上記被摺動部に対し摺動部を摺動させる、という簡単な作業により達成されることから、上記構成部品の固着作業はより容易となる。
【００３９】
請求項８の発明は、上記ロック手段のほぼ全体をその前方から上記構成部品で覆うようにしてある。
【００４０】
このため、上記乗り物の正面視で、上記ロック手段が外観上、容易に見えることは上記構成部品により防止される。よって、この乗り物の外観上の見栄えが向上する。
【００４１】
請求項９の発明は、上記乗り物を鞍乗型車両とし、上記乗り物本体をこの車両の車体とし、上記構成部品をウィンドシールドとし、上記車体が有するフロントフォークをその前方から上記ウィンドシールドで覆うと共に、このウィンドシールドを上記フロントフォークに上記ロック手段により固着させ、上記一方向を上記フロントフォークの長手方向に沿った方向としてある。
【００４２】
このため、上記各効果は鞍乗型車両に得られることとなり、これは、特に、長尺のフロントフォークなどを有する乗り物本体と、ヘッドランプなどの各構成部品とが互いにコンパクトに配置されて、限られた狭い余剰空間しか存在せず、また、外観上の見栄えが重要視される上記鞍乗型車両にとって有益である。
【発明を実施するための最良の形態】
【００４３】
本発明の乗り物における構成部品の着脱装置に関し、全体として平坦形状をなす乗り物の構成部品を乗り物本体に固着させる固着作業をするとき、この固着作業が容易にできるようにし、また、上記構成部品の乗り物本体からの離脱作業も容易にできるようにする、という目的を実現するため、本発明を実施するための最良の形態は、次の如くである。
【００４４】
即ち、乗り物は、乗り物本体と、全体として平坦形状をなす構成部品と、上記乗り物本体に対する上記構成部品のある一方向への移動によりこの構成部品を上記乗り物本体に対し固着可能とさせるロック手段とを備えている。上記一方向が上記構成部品の平坦な外面に沿った方向とされている。
【実施例】
【００４５】
本発明をより詳細に説明するために、その実施例を添付の図に従って説明する。
【００４６】
図１，２において、符号１は乗り物であり、具体的には鞍乗型車両である自動二輪車である。また、矢印Ｆｒは、この乗り物１の進行方向の前方を示している。また、下記する左右とは、上記乗り物１の幅方向をいうものとする。
【００４７】
上記乗り物１の乗り物本体２は、具体的には上記自動二輪車の車体である。この乗り物本体２は、車体の骨格をなす車体フレーム３と、この車体フレーム３の前上端部を構成するヘッドパイプ４に対し前下がりの軸心５回りに操向可能に支承されるフロントフォーク６と、このフロントフォーク６の下端部に支承される前車輪７と、上記フロントフォーク６の上端部に支持されるハンドル８とを備えている。上記フロントフォーク６は上記軸心５に沿って長く延び、乗り物１はその正面視（図２）で、上記軸心５を基準として左右対称形とされている。
【００４８】
上記フロントフォーク６は、上記軸心５に平行に延びる左右一対のフォークチューブ１１，１１と、これらフォークチューブ１１，１１の上端部同士を互いに結合させるアッパブラケット１２と、上記フォークチューブ１１，１１の長手方向の中途部同士を互いに結合させるロアブラケット１３と、これらアッパ、ロアブラケット１２，１３に架設される不図示のステアリングシャフトとを備え、このステアリングシャフトは上記ヘッドパイプ４に嵌入されて上記軸心５回りに回転可能に支承され、これにより、上記したように車体フレーム３のヘッドパイプ４に上記フロントフォーク６が操向可能に支承されている。
【００４９】
上記乗り物１は、その構成部品１６として上記フロントフォーク６のロアブラケット１３から前方に向かって突設されるヘッドランプ１７と、全体として平坦形状をなすウィンドシールド１８とを備えている。このウィンドシールド１８は上記フロントフォーク６の前方近傍に配置され、このフロントフォーク６の上部のほぼ全体と、ハンドル８とをその前方から覆っている。
【００５０】
より具体的には、上記ウィンドシールド１８は、その上部を構成して上記ヘッドランプ１７より上方の上記フロントフォーク６の上端部、ヘッドランプ１７の左右各外側方における上記フロントフォーク６の各側部、およびハンドル８をその前方から覆うシールド本体１９と、上記ヘッドランプ１７より下方の上記フロントフォーク６の各側部、および上記乗り物１に鞍乗式に乗車したライダーの各脚部をその前方から覆う左右一対のプロテクタプレート２０，２０と、上記シールド本体１９と各プロテクタプレート２０の各外面である後面に固着されてこれらシールド本体１９と各プロテクタプレート２０を互いに一体的に結合させる左右一対の金属製ブラケット２１，２１とを備え、上記シールド本体１９の左右各側部下端の後方近傍に、上記各プロテクタプレート２０の上端部がそれぞれ配置されている。
【００５１】
全図において、上記乗り物１は、各図中実線で示すように上記構成部品１６であるウィンドシールド１８を上記乗り物本体２であるフロントフォーク６に対し着脱可能に固着させる左右一対のロック手段２４，２４を備えている。これらロック手段２４は、上記ウィンドシールド１８を上記フロントフォーク６に対しある直線的な一方向Ａに移動させるとき、上記ウィンドシールド１８の移動に連動してこのウィンドシールド１８を上記フロントフォーク６に固着可能とさせる。
【００５２】
上記一方向Ａは、乗り物１の側面視で、上記ウィンドシールド１８の平坦な外面に沿った方向とされている。また、上記一方向Ａは前下方であり、かつ、上記軸心５や上記フロントフォーク６の長手方向に沿った方向でもある。
【００５３】
上記各ロック手段２４は、それぞれ上記ウィンドシールド１８を乗り物本体２に固着可能にさせるロック機構部２５と、このロック機構部２５に連結される操作部２６とを備え、図１中一点鎖線で示すように、この操作部２６への操作により、上記乗り物本体２のフロントフォーク６への上記ウィンドシールド１８の固着が解除されるようになっている。
【００５４】
特に、図２で示すように、上記各ロック手段２４はそのほぼ全体が上記ウィンドシールド１８によりその前方から覆われている。
【００５５】
上記各ロック機構部２５は、それぞれ上記フロントフォーク６の各側部を構成するフォークチューブ１１の外側面から外側方に向かって突設される上下一対の被嵌合部２９，２９と、上記ウィンドシールド１８の後面側の部分である上記各ブラケット２１に形成され上記一方向Ａへのウィンドシールド１８の往、復移動で上記各被嵌合部２９に嵌脱可能に嵌合する上下一対の嵌合部３０，３０と、上記各被嵌合部２９への各嵌合部３０の嵌合状態を解除可能にロックしてフロントフォーク６にウィンドシールド１８を固着させるロック具３１とを備えている。具体的には、このロック具３１は、上、下被嵌合部２９，２９のうちの一方である下被嵌合部２９への下嵌合部３０の嵌合状態をロックする。
【００５６】
上記各被嵌合部２９は、上記フォークチューブ１１の外側面から外側方に向かって突設される軸体３４を備え、この軸体３４には周溝３５が形成されている。上記各嵌合部３０は、上記ブラケット２１に形成され一方向Ａの前方に向かって開口する切り欠き３７を備えている。上記被嵌合部２９への嵌合部３０の嵌合状態では、上記切り欠き３７における内縁部のうち、互いに対向する両内縁部３８，３９が上記周溝３５に同時に嵌合することとされている。
【００５７】
上記ロック具３１は、上記ブラケット２１に対し枢支軸４０により回動可能に枢支されこの回動で上記切り欠き３７の最奥部と嵌合した上記軸体３４の周溝３５の内面に係脱可能に係合するフック４１と、このフック４１を上記周溝３５の内面に係合させるよう付勢Ｂするばね４２と、上記周溝３５の内面に係合する方向に回動するフック４１が所定以上に回動することを阻止するストッパ４３とを備えている。上記被嵌合部２９の周溝３５の内面に対する上記フック４１の係合で、上記各被嵌合部２９への各嵌合部３０の嵌合状態がロックされ、これにより、上記ロック手段２４によってウィンドシールド１８がフロントフォーク６に固着される。
【００５８】
上記各操作部２６は上記上記ロック具３１のフック４１から一体的に突設される操作レバー形状とされ、この操作部２６は上記フック４１と共に枢支軸４０回りに回動可能とされている。上記ばね４２の付勢力に対抗して上記操作部２６を操作して回動させれば、この操作部２６と共に回動したフック４１が上記周溝３５の内面から離脱して上記被嵌合部２９への嵌合部３０の嵌合状態のロックが解除される（図１中一点鎖線）。
【００５９】
上記ウィンドシールド１８の各外側部の外縁部４５は、このウィンドシールド１８の前方から左右の手で同時に把持可能とされ、かつ、この把持で上記ウィンドシールド１８は持ち上げ可能とされている。上記操作部２６は、上記ウィンドシールド１８の正面視（図２，４）で、上記ウィンドシールド１８の外縁部４５と重なるよう配置され、つまり、上記操作部２６は、上記ウィンドシールド１８の各外縁部４５の後方に配置されている。また、上記操作部２６は、上記各外縁部４５の後方近傍に配置されている。
【００６０】
上記構成部品１６の正面視（図２，４）で、上記操作部２６近傍における上記構成部品１６の外縁部４５の外端縁がこの構成部品１６の外側方から上記操作部２６を囲むよう屈曲させられている。上記外縁部４５の外端縁は上記屈曲により、その外側方に向かう円弧凸形状とされている。また、上記外縁部４５の外端縁は、下方に向かうに従い上記乗り物１の構成部品１６の幅方向の中央側に向かうよう傾斜させられている。上記操作部２６はその回動で上記ウィンドシールド１８の外縁部４５に対し、このウィンドシールド１８の厚さ方向（前、後方向）で接近、離反することとされている。そして、上記したように操作部２６を操作して、上記フック４１によるロックを解除したとき、上記操作部２６は上記ウィンドシールド１８の外縁部４５に対し、このウィンドシールド１８の厚さ方向（前、後方向）で接近移動Ｃすることとされている。
【００６１】
上記一方向Ａに向かって上記ウィンドシールド１８が移動するようこのウィンドシールド１８を案内すると共に、この一方向Ａへの移動に上記ロック手段２４が連動してこのロック手段２４により上記ウィンドシールド１８がフロントフォーク６に固着可能となるよう上記ウィンドシールド１８を案内する案内手段４７が設けられている。
【００６２】
上記案内手段４７は、上記乗り物本体２のフロントフォーク６に形成される上下一対の被摺動部４８，４８と、上記ウィンドシールド１８のブラケット２１の後面に形成される上下一対の摺動部４９，４９とを備えている。上記被摺動部４８は、上記被嵌合部２９の周溝３５の内底面の一部で形成されている。一方、上記各切り欠き３７のそれぞれ両内縁部３８，３９のうち、シールド本体１９側の内縁部３８が一方向Ａに向かって延長され、この延長部により上記摺動部４９が形成されている。
【００６３】
上記被摺動部４８に対し摺動部４９を摺動させると、つまり、上記各被嵌合部２９の周溝３５に上記各嵌合部３０の切り欠き３７の内縁部３８，３９を嵌合させて摺動部４９を摺動させると、上記ウィンドシールド１８が一方向Ａに向かって移動させられて、上記各被嵌合部２９への各嵌合部３０の嵌合状態が上記ロック具３１によりロック可能とされ、つまり、上記ウィンドシールド１８が上記ロック手段２４によりフロントフォーク６に固着可能とされる。
【００６４】
上記フロントフォーク６にウィンドシールド１８を固着させるときの固着作業の一例につき説明する。まず、上記ウィンドシールド１８の左右各外縁部４５，４５をその前方から手で把持し、上記ロック手段２４の各被嵌合部２９の後上方に各嵌合部３０が位置するようウィンドシールド１８を配置する。次に、上記各外縁部４５を把持した手の人指し指で上記各操作部２６を操作し、この操作部２６を上記外縁部４５側へ接近移動Ｃさせ、上記ロック具３１のフック４１が上記切り欠き３７の開口を開いた状態にさせる（図１中一点鎖線）。
【００６５】
次に、上記ウィンドシールド１８を一方向Ａに向かって移動させるが、この際、上記案内手段４７の各被摺動部４８に各摺動部４９を接合させ、上記各被摺動部４８に対し各摺動部４９を摺動させる。すると、上記ウィンドシールド１８が一方向Ａに向かって移動して、上記各被嵌合部２９の周溝３５に上記各嵌合部３０の切り欠き３７の最奥部が嵌合させられる（図１中実線、一点鎖線）。
【００６６】
次に、上記操作部２６への操作を解除すれば、上記フック４１がばね４２の付勢力により上記周溝３５の内底面に係合し、各被嵌合部２９への各嵌合部３０の嵌合状態が上記ロック具３１によりロックされてロック手段２４により上記ウィンドシールド１８がフロントフォーク６に固着され、上記固着作業が終わる。
【００６７】
一方、上記フロントフォーク６に対するウィンドシールド１８の固着を解除して、このウィンドシールド１８をフロントフォーク６から離脱させる離脱作業をするときには、上記固着作業と逆の作業をすればよい。
【００６８】
なお、上記ウィンドシールド１８の固着作業において、ロック具３１のフック４１がばね４２の付勢力により上記切り欠き３７の開口を閉じたまま、上記ウィンドシールド１８を案内手段４７により案内させるなどして一方向Ａに向かって移動させたときには、上記ウィンドシールド１８の一方向Ａへの移動に伴い、上記フック４１の一方向Ａにおける前端縁が被嵌合部２９の周溝３５の内底面に圧接し、上記ばね４２に対抗しつつ上記枢支軸４０回りに回動させられて上記切り欠き３７の開口を開くようになっている（図１中一点鎖線）。
【００６９】
また、上記状態から、上記ウィンドシールド１８を更に一方向Ａに移動させると、上記切り欠き３７の最奥部と周溝３５の内底面とが嵌合すると共に、この周溝３５の内底面に上記フック４１がばね４２の付勢力により自動的に係合し、各被嵌合部２９への各嵌合部３０の嵌合状態が上記ロック具３１によりロックされる。即ち、上記ウィンドシールド１８の一方向Ａへの移動に上記ロック手段２４が連動して、このロック手段２４により上記ウィンドシールド１８がフロントフォーク６に自動的に固着され、上記固着作業が終わる。
【００７０】
上記構成によれば、構成部品１６の固着作業をする際に、この構成部品１６を移動させるべき一方向Ａをこの構成部品１６の平坦な外面に沿った方向としてある。
【００７１】
このため、上記乗り物本体２への構成部品１６の固着作業時には、上記構成部品１６を上記一方向Ａに向かって移動させるが、この一方向Ａは上記したように、構成部品１６の平坦な外面に沿った方向であることから、この構成部品１６の移動軌跡の占有空間は小さくて足りる。よって、乗り物１では、一般に、その各構成部品はコンパクトに配置されていて限られた狭い余剰空間しか存在しないが、上記占有空間が小さくて足りる分、上記固着作業時の作業空間も狭くて足り、このため、上記固着作業時に他の構成部品が邪魔になるということが防止されて、上記構成部品１６の固着作業が容易にできる。
【００７２】
また、前記したように、一方向Ａが下方に向かう方向としてある。
【００７３】
このため、上記構成部品１６の固着作業時におけるこの構成部品１６の移動方向は、この構成部品１６の自重が向かう方向とほぼ一致する。よって、上記一方向Ａが上方に向かう方向であることに比べて、上記構成部品１６の固着作業はより容易となる。
【００７４】
また、前記したように、ロック手段２４が、上記構成部品１６を乗り物本体２に固着可能とさせるロック機構部２５と、このロック機構部２５に連結される操作部２６とを備え、この操作部２６への操作により、上記ロック手段２４による乗り物本体２への構成部品１６の固着が解除されるようにし、上記構成部品１６の外縁部４５の近傍に上記操作部２６を配置してある。
【００７５】
このため、上記構成部品１６からその外方に操作部２６が大きく突出するということが防止されて、これら構成部品１６と操作部２６とは互いにコンパクトに配置され、よって、乗り物１が大型になることが防止される。
【００７６】
また、上記ロック手段２４により乗り物本体２に固着された構成部品１６を上記乗り物本体２から離脱させる離脱作業をするときには、例えば、上記構成部品１６の外縁部４５を手で把持して、この手の指で上記ロック手段２４の操作部２６に対する操作をする。すると、このロック手段２４による乗り物本体２への構成部品１６の固着を解除させることができる。よって、上記構成部品１６の離脱作業において、上記構成部品１６を把持する作業と、ロック手段２４の操作部２６を操作する作業とを個別にすることに比べ、上記離脱作業は容易にできる。
【００７７】
また、前記したように、構成部品１６の正面視で、上記操作部２６近傍における上記構成部品１６の外縁部４５の外端縁が上記構成部品１６の外側方から上記操作部２６を囲むよう、上記外縁部４５の外端縁を屈曲させてある。
【００７８】
このため、上記操作部２６近傍の構成部品１６の外縁部４５は上記屈曲により、その外側方に向かう凸形状となる。よって、上記ロック手段２４により乗り物本体２に固着された構成部品１６を上記ロック手段２４への操作により乗り物本体２から離脱させようとして、上記操作部２６近傍の構成部品１６の外縁部４５を手で把持するとき、この外縁部４５の凸形状の部分の少なくとも一部が手のひらの内側に入り込んで、この把持による上記構成部品１６の支持がより確実にでき、このため、上記乗り物本体２からの構成部品１６の離脱作業がより容易にできる。
【００７９】
また、上記したように、一方向Ａが下方に向かう場合において、上記操作部２６近傍における上記構成部品１６の外縁部４５の外端縁を、下方に向かうに従い上記乗り物１の構成部品１６の幅方向における中央側に向かうよう傾斜させてある。
【００８０】
このため、上記乗り物本体２から構成部品１６を離脱させようとして、上記操作部２６近傍における構成部品１６の外縁部４５を把持するとき、この把持はこの外縁部４５の下方からなされる。よって、この把持による上記構成部品１６の支持力は、この構成部品１６の重さに対抗することとなって、この構成部品１６の支持が更に確実にでき、このため、上記乗り物本体２からの構成部品１６の離脱作業は更に容易にできる。
【００８１】
また、前記したように、操作部２６を操作したとき、この操作部２６が上記構成部品１６の外縁部４５に接近移動Ｃするようにしてある。
【００８２】
このため、上記乗り物本体２からの構成部品１６の離脱作業時に、この構成部品１６の外縁部４５を手で把持して、この手の指で上記ロック手段２４の操作部２６に対する操作をするとき、この操作部２６が外縁部４５に接近移動Ｃするよう操作すればよく、この操作は、指の動きからみて、上記操作部２６の外縁部４５への接近移動Ｃとは逆に離反移動させるということに比べて容易であり、よって、その分、上記構成部品１６の離脱作業が容易にできる。
【００８３】
また、前記したように、一方向Ａに向かって上記構成部品１６が移動するようこの構成部品１６を案内する案内手段４７を備えている。
【００８４】
このため、上記構成部品１６の固着作業時に、この構成部品１６を一方向Ａに移動させて上記ロック手段２４により乗り物本体２に固着させることは、この構成部品１６を案内する上記案内手段４７の働きにより容易にできる。よって、その分、上記構成部品１６の固着作業が更に容易となる。
【００８５】
また、前記したように、案内手段４７が、上記乗り物本体２に形成される被摺動部４８と、上記構成部品１６に形成され上記被摺動部４８に対し摺動可能な摺動部４９とを備え、上記被摺動部４８に対する摺動部４９の摺動により上記構成部品１６が上記一方向Ａに向かって移動するようにしてある。
【００８６】
このため、上記構成部品１６の固着作業時に、この構成部品１６を一方向Ａに向かって移動させるとき、まず、この構成部品１６の摺動部４９を乗り物本体２の被摺動部４８に接合させれば、この固着作業の当初における上記乗り物本体２への構成部品１６の位置決めが極めて容易にできる。そして、次に、上記被摺動部４８に対し摺動部４９を摺動させれば、上記構成部品１６は一方向Ａに向かって移動してロック手段２４により乗り物本体２に固着される。よって、上記構成部品１６の固着作業は、まず、上記被摺動部４８に摺動部４９を接合させて乗り物本体２への構成部品１６の位置決めをし、次に、上記被摺動部４８に対し摺動部４９を摺動させる、という簡単な作業により達成されることから、上記構成部品１６の固着作業はより容易となる。
【００８７】
また、前記したように、ロック手段２４のほぼ全体をその前方から上記構成部品１６で覆うようにしてある。
【００８８】
このため、上記乗り物１の正面視で、上記ロック手段２４が外観上、容易に見えることは上記構成部品１６により防止される。よって、この乗り物１の外観上の見栄えが向上する。
【００８９】
また、前記したように、乗り物１を鞍乗型車両とし、上記乗り物本体２をこの車両の車体とし、上記構成部品１６をウィンドシールド１８とし、上記車体が有するフロントフォーク６をその前方から上記ウィンドシールド１８で覆うと共に、このウィンドシールド１８を上記フロントフォーク６に上記ロック手段２４により固着させ、上記一方向Ａを上記フロントフォーク６の長手方向に沿った方向としてある。
【００９０】
このため、上記各効果は鞍乗型車両に得られることとなり、これは、特に、長尺のフロントフォーク６などを有する乗り物本体２と、ヘッドランプ１７などの各構成部品とが互いにコンパクトに配置されて、限られた狭い余剰空間しか存在せず、また、外観上の見栄えが重要視される上記鞍乗型車両にとって有益である。
【００９１】
なお、以上は図示の例によるが、乗り物１は自動三輪車や自動四輪車などの鞍乗型車両であってもよく、自動車や船であってもよい。また、上記構成部品１６はウィンカーなどを含むものである。また、上記一方向Ａは鉛直方向の上方や下方に向かうものでもよい。また、上記操作部２６近傍における構成部品１６の外縁部４５を、その屈曲により三角形の頂部形状としてもよい。
【図面の簡単な説明】
【００９２】
【図１】図３の部分拡大詳細図である。
【図２】乗り物の部分正面図である。
【図３】乗り物の部分側面図である。
【図４】図２の部分拡大詳細図である。
【図５】図４の部分拡大断面図である。
【符号の説明】
【００９３】
１    乗り物
２    乗り物本体
３    車体フレーム
４    ヘッドパイプ
５    軸心
６    フロントフォーク
１６  構成部品
１８  ウィンドシールド
１９  シールド本体
２０  プロテクタプレート
２１  ブラケット
２４  ロック手段
２５  ロック機構部
２６  操作部
２９  被嵌合部
３０  嵌合部
３１  ロック具
４５  外縁部
４７  案内手段
４８  被摺動部
４９  摺動部
Ａ    一方向
Ｃ    接近移動
【図１】
2005186895.tif 000003
【図２】
2005186895.tif 000004
【図３】
2005186895.tif 000005
【図４】
2005186895.tif 000006
【図５】
2005186895.tif 000007